(57)【要約】  ＯＰＣ手順により、高い記録速度における最適書込パワーレベルを決定する方法および光記録装置を開示する。この方法は、低い記録速度においてＯＰＣ手順を実行し、その後、得られた結果をより高い記録速度にスケーリングするという処理を含む。
2006528399.tif 000002
【特許請求の範囲】
【請求項１】
光記録媒体に放射ビームを印加することにより該光記録媒体上に情報を書き込む光記録装置において使用する、前記放射ビームの書込パワーレベルの最適値を設定する方法であって、
各テストパターンが前記放射ビームの異なる値の書込パワーレベルで書き込まれる、一連のテストパターンを、前記光記録媒体上のテスト領域内に書き込む第１の工程と、
書き込まれた前記テストパターンを読み出して、対応の読出信号部分を形成する第２の工程と、
前記読出信号部分に応じて、前記書込パワーレベルの前記最適値を選択する第３の工程とを含み、
前記第１の工程において、前記一連のテストパターンが低い記録速度で書き込まれ、
前記第３の工程において、前記読出信号部分、および高い記録速度における書込パワーレベルの値と前記低い記録速度における書込パワーレベルの値との間の関係を示すパラメータに依存して、前記高い記録速度における書込パワーレベルの前記最適値が選択されることを特徴とする方法。
【請求項２】
前記高い記録速度における書込パワーレベルの値と前記低い記録速度における書込パワーレベルの値との間の関係を示す前記パラメータが、前記記録媒体から読み出されることを特徴とする請求項１記載の方法。
【請求項３】
光記録媒体上に情報を記録する光記録装置であって、
前記記録媒体上に情報を記録するための、制御可能な書込パワーレベルの値を有する放射ビームを発する放射源と、
各テストパターンが異なる値の書込パワーレベルで記録される、一連のテストパターンを、前記光記録媒体上のテスト領域内に記録するように動作可能な制御ユニットと、
記録された前記テストパターンを読み出して、対応の読出信号部分を形成する読出ユニットと、
前記読出信号部分に応じて、前記書込パワーレベルの最適値を設定する設定手段とを含み、
前記制御ユニットが、前記一連のテストパターンを、前記光記録媒体上の前記テスト領域内に、低い記録速度で記録するように動作可能であり、
前記設定手段が、前記読出信号部分、および高い記録速度における書込パワーレベルの値と前記低い記録速度における書込パワーレベルの値との間の関係を示すパラメータに依存して、前記高い記録速度における書込パワーレベルの前記最適値を設定するように動作可能であることを特徴とする光記録装置。
【請求項４】
前記読出ユニットが、前記高い記録速度における書込パワーレベルの値と前記低い記録速度における書込パワーレベルの値との間の関係を示す前記パラメータを、前記記録媒体から読み出すように動作可能であることを特徴とする請求項３記載の光記録装置。
【請求項５】
記録処理を示す記録パラメータを含む領域を備えた光記録媒体であって、
前記領域が、高い記録速度における書込パワーレベルの値と低い記録速度における書込パワーレベルの値との間の関係を示すパラメータを含んでいることを特徴とする光記録媒体。
【請求項６】
高い記録速度における最適書込パワーレベルをＰｈｉｇｈ、ＯＰＣ速度における最適書込パワーレベルをＰｌｏｗとして、前記パラメータが、Ｐｈｉｇｈ／Ｐｌｏｗに関連付けられたパラメータであることを特徴とする請求項５記載の光記録媒体。
【発明の詳細な説明】
【技術分野】
【０００１】
本発明は、光記録媒体に放射ビームを印加することによりその光記録媒体上に情報を書き込む光記録装置において使用する、放射ビームの書込パワーレベルの最適値を設定する方法であって、各テストパターンが放射ビームの異なる値の書込パワーレベルで書き込まれる、一連のテストパターンを、光記録媒体上のテスト領域内に書き込む第１の工程と、書き込まれたテストパターンを読み出して、対応の読出信号部分を形成する第２の工程と、それらの読出信号部分に応じて、書込パワーレベルの最適値を選択する第３の工程とを含む方法に関するものである。
【０００２】
本発明はまた、本発明に係る方法を用いる光記録装置、および本発明に係る方法及び装置により使用される光記録媒体にも関するものである。
【背景技術】
【０００３】
光記録では、冒頭の段落に従うような方法は、一般的に、最適パワー制御（Ｏｐｔｉｍｕｍ  Ｐｏｗｅｒ  Ｃｏｎｔｒｏｌ；ＯＰＣ）と呼ばれる。かかるＯＰＣ手順、およびかかる手順を用いる記録装置は、たとえば、欧州特許ＥＰ０７３７９６２号より知られている。
【０００４】
光記録では、実際の記録装置における書込パワーレベルは、通常、上記のようなＯＰＣ手順を用いて設定される。この手順は、光記録媒体上のテスト領域内に、一連のテストパターンを書き込むことにより実行される。一般にＯＰＣ領域と呼ばれるこのテスト領域は、一般的には、ディスク形状の記録媒体の内径側に配されている。ＯＰＣ手順では、放射ビームの様々な値の書込パワーレベルを用いて、テストパターンが書き込まれる。その後、書き込まれたテストパターンが再び読み出され、対応の読出信号部分が形成される。たとえば、それぞれが放射ビームの異なる値の書込パワーレベルに関連付けられたこれらの信号部分の、変調および／または非対称性を測定することにより、最適な書込パワーレベルの値を導出することができる。様々なタイプの光記録媒体に関するＯＰＣ手順がよく知られており、それらの例は、これらの各種媒体についての種々の規格内に見出すことができる（たとえば、「ＤＶＤ＋Ｒ  ４．７Ｇｂｙｔｅｓ  Ｂａｓｉｃ  Ｆｏｒｍａｔ  Ｓｐｅｃｉｆｉｃａｔｉｏｎ；Ｆｏｒｍａｔ  Ｄｅｓｃｒｉｐｔｉｏｎ（ＤＶＤ＋Ｒ  ４．７ギガバイト  基本フォーマット仕様；フォーマットの説明）」）。
【発明の開示】
【発明が解決しようとする課題】
【０００５】
しかしながら、より速い回転速度においては、ＯＰＣ手順をディスクの内径側で行うことは、もはや不可能であるということが問題である。一般的に、信頼性のある光記録のためには、ディスク形状の記録媒体について、およそ１６０Ｈｚが最大限の回転速度だと考えられている。ＣＤやＤＶＤ型のディスクを、この最大限の回転速度よりも速い回転速度で回転させると、ディスクの物理的な歪みが生じかねない。ＤＶＤ記録の場合には、これは、ディスクの内径側に関して６倍速の記録速度（すなわち、ＤＶＤの基本速度である３．４９ｍ／秒の６倍）にほぼ対応する。そのため、６倍速を超える記録速度においては、もはや、ディスクの内径側のＯＰＣ領域を使用することはできない。
【０００６】
外径側に配されたＯＰＣ領域が規定されるシステムもある。直径１２０ｍｍのディスクでは、１６０Ｈｚの回転速度は、ディスクの外径側に関して１６倍速の記録速度にほぼ対応する。したがって、そのような外径側にＯＰＣ領域を有するシステムは、１６倍速の記録速度まで、ＯＰＣ手順を許容する。しかしながら、たとえば均質性の変動のため、外径側におけるＯＰＣの結果は、より信頼性が低いことが多い。さらに、ディスクの外径側部分は、内径側部分に比べて、指紋で汚れることが多い。そのため、多くのドライブ設計者は、ディスクの内径側にＯＰＣ領域を配することの方を好む。
【０００７】
最適な書込パワーレベルの正しい値は、記録品質のために重要であり、とりわけ、より低い速度よりも許容できるパワー幅が一般に小さい、より高い記録速度においては重要である。
【０００８】
本発明の１つの目的は、記録媒体の内径側においてＯＰＣ手順を実行する方法および装置であって、より高い記録速度において信頼性の高い書込パワーレベル設定をもたらす方法および装置を提供することである。
【課題を解決するための手段】
【０００９】
本発明によれば、上記の目的は、冒頭の段落で述べた方法であって、第１の工程において、上記の一連のテストパターンが低い記録速度で書き込まれ、第３の工程において、上記の読出信号部分、および高い記録速度における書込パワーレベルの値と上記の低い記録速度における書込パワーレベルの値との間の関係を示すパラメータに依存して、高い記録速度における書込パワーレベルの最適値が選択されることを特徴とする方法を、提供することにより達成される。こうすることにより、ディスクの内径側へのテストパターンの記録を依然として許容可能な記録速度で実行することができ、さらに一方で、ディスクの内径側へのテストパターン記録の信頼性がもはやなくなるような高い記録速度における、書込パワーレベルの最適値を、依然として高い信頼性で決定することができる。
【００１０】
１つの実施形態では、高い記録速度における最適書込パワーレベルをＰｈｉｇｈ、ＯＰＣ速度（一次速度とも呼ぶ）における最適書込パワーレベルをＰｌｏｗとして、パラメータＰｈｉｇｈ／Ｐｌｏｗを規定することが提案される。こうすることにより、ドライブは、内径側において比較的低い速度でＯＰＣを実行し、その後、その低い速度で得られた結果とパラメータＰｈｉｇｈ／Ｐｌｏｗとを乗算することにより、高い記録速度における最適書込パワーレベルを決定することができる。
【００１１】
ここで、原則として、今日の多くの光記録媒体に記憶されている、ディスクの高い速度および低い速度に対する指示パワー値（Ｐｉｎｄ）を、上記に代えて用いることができる点に留意されたい。しかしながら、これらの値は、書込パワー値の指標を与える意図のものであり、精度はあまり高くない。さらには、低い速度に対するＰｉｎｄの値は、内径側のＯＰＣ領域に関して与えられているものであり、高い速度に対するＰｉｎｄの値は、外径側のＯＰＣ領域に関して与えられているものである。したがって、ここでも媒体の均質性の変動が、これらのＰｉｎｄの値に基づく比の信頼性を低下させてしまうかもしれない。
【００１２】
別の１つの実施形態では、パラメータＰｈｉｇｈ／Ｐｌｏｗが、記録媒体自体から読み出される。パラメータＰｈｉｇｈ／Ｐｌｏｗは、記録媒体上の、記録処理（ＯＰＣ手順を含む）を示す記録パラメータを含む領域内に記憶されてもよい。そのような記録パラメータを含む領域は、たとえば、ＡＤＩＰ（アドレス・イン・プリグルーブ）内に配される。
【００１３】
ディスク内に記憶されるパラメータＰｈｉｇｈ／Ｐｌｏｗの値は、ディスクの開発時またはフォーマットの確認時に、ディスクの１つの位置において両方の速度を用いることにより、極めて精確に取得することができる。さらには、このパラメータＰｈｉｇｈ／Ｐｌｏｗの良好に規定された記述により、丸め誤差を極めて小さくすることができ、いかなる場合でも、たとえば指示パワー値（Ｐｉｎｄ）を用いる場合よりも大幅に小さな丸め誤差とすることができる。たとえば、パラメータＰｈｉｇｈ／Ｐｌｏｗに関連付けられた、ディスク上に記憶されるデジタル値をＮとし、Ｎ＝２００（Ｐｈｉｇｈ／Ｐｌｏｗ−１）である場合には、精度は０．５％となる。
【発明を実施するための最良の形態】
【００１４】
以下、本発明の上記およびその他の特徴および利点を、添付の図面を参照しながら説明する。
【００１５】
図１は、ＣＤおよびＤＶＤ型ディスクにおいて最も一般的に用いられる直径である１２０ｍｍの直径を有する、ディスク形状の光記録媒体１を示している。ディスク１は、内径４４ｍｍ、外径１１７ｍｍの円環領域２を有している。この領域は、情報領域と呼ばれることが多く、１つの螺旋状の溝３より形成されたサーボトラックを含んでいる。各サーボトラックは、切れ目のない螺旋の、３６０度の１回転分を形成する。情報は、サーボトラックの溝に記録される。
【００１６】
ＯＰＣ手順により使用されるテスト領域４は、情報領域２の内径側に配されている。たとえば、ＤＶＤ型のディスクの場合、このテスト領域４は、ディスク内径側テスト領域と呼ばれ、半径２２．６１６ｍｍから２３．０５２ｍｍの個所に配される。
【００１７】
情報領域内のサーボトラックは、公称中心位置から、位相変調された正弦波状のずれを有しており、これは一般にウォブルと呼ばれる。このウォブルは、ＡＤＩＰ（アドレス・イン・プリグルーブ）と呼ばれるアドレス情報を含んでいる。一般に、このＡＤＩＰは、ディスク上の位置の物理的なアドレス情報を含んでいる。しかしながら、特定の領域においては、ＡＤＩＰは、たとえば記録処理を示す記録パラメータといった、ディスクパラメータに関する情報も含んでいる。たとえば、ＤＶＤ型のディスクでは、内側ディスク識別領域と呼ばれるそのような領域が、情報領域の内径側に位置するリードイン領域内に配されている（すなわち、半径２３．４ｍｍから２４．０ｍｍの個所）。本発明に従うあるディスクでは、ＡＤＩＰ内のディスクパラメータに関する情報は、パラメータＰｈｉｇｈ／Ｐｌｏｗの値を含んでおり、この値は各ディスクに対して予め特定されている。
【００１８】
図２は、本発明に従う１つの方法の各工程を示したフローチャートである。第１の工程Ｓ１では、一連のテストパターンが、ディスク１上のテスト領域４内に書き込まれる。ここで、各テストパターンは、放射ビーム３５の異なる値の書込パワーレベルで書き込まれる。第２の工程Ｓ２では、書き込まれたテストパターンが再び読み出されて、読出信号部分が形成される。各読出信号部分は、書込パワーレベルの各異なる値に対応する。第３の工程Ｓ３の第１の部分Ｓ３．１では、これらの読出信号部分に応じて、書込パワーレベルの最適値が選択される。以上の各工程は、ＯＰＣ手順においてよく知られている（たとえば欧州特許ＥＰ０７３７９６２号より）。
【００１９】
本発明によれば、（第１の工程Ｓ１において）テスト領域４内に記録されるテストパターンは、低い記録速度で記録される。そのため、第３の工程Ｓ３の第１の部分Ｓ３．１で決定される書込パワーレベルの最適値は、かかる低い記録速度での記録に対して有効である。
【００２０】
その後、この低い記録速度での記録のための書込パワーレベルの最適値、および高い記録速度における書込パワーレベルの値と上記の低い記録速度における書込パワーレベルの値との間の関係を示すパラメータに依存して、第３の工程Ｓ３の第２の部分Ｓ３．２において、高い記録速度での記録のための書込パワーレベルの最適値が選択される。ある実施形態では、（たとえばディスクの初期化中において）ディスク上のＡＤＩＰから、パラメータＰｈｉｇｈ／Ｐｌｏｗが取得される。すると、低い記録速度での記録のための書込パワーレベルの最適値と、パラメータＰｈｉｇｈ／Ｐｌｏｗとを乗算することにより、高い記録速度での記録のための書込パワーレベルの最適値が得られる。
【００２１】
図３は、たとえばＤＶＤ型ディスクといった光記録媒体１上に情報を記録する、本発明に係る光記録装置の１つの実施形態を示している。情報（たとえば光検出可能なマークの形態の情報）は、ある書込パワーレベルを有する放射ビーム３５を記録媒体上に照射することによって、記録媒体１上に記録される。この装置は、たとえば半導体レーザーといった、放射ビーム３５を発するための放射源３４を含んでいる。放射ビームは、ビームスプリッタ６および対物レンズ７を介して、記録媒体上に集光させられる。記録媒体から反射された放射は、対物レンズにより集光させられ、ビームスプリッタを通過した後、入射放射を電気検出信号に変換する検出システム８に入射する。これらの電気検出信号は、記録媒体から読み出された情報を表す読出信号部分ＳＲをこれらの電気検出信号から導出する、回路９に供給される。放射源３４、ビームスプリッタ３５、対物レンズ７、検出システム９、および回路９は、全体で読出ユニット１００を形成する。
【００２２】
制御ユニット１２による制御の下、低い記録速度での記録の際、記録媒体の内半径側に配されたテスト領域内に、一連のテストパターンが記録される。各テストパターンは、放射ビーム３５の異なる値の書込パワーレベルを用いて記録される。たとえば、一連の複数のテストパターンが、段階的に増加させられる書込パワーレベルで記録されてもよい。
【００２３】
記録されたテストパターンは、対応の読出信号部分ＳＲを生成するため、読出ユニット１００により再び読み出される。これらの読出信号部分は、低い記録速度での記録のための書込パワーレベルの最適値を特定するため、設定手段１１内で処理される。さらに、低い記録速度での記録のための書込パワーレベルの特定された最適値と、パラメータＰｈｉｇｈ／Ｐｌｏｗとを乗算することにより、高い記録速度での記録のための書込パワーレベルの最適値が、設定手段１１によって決定される。このパラメータＰｈｉｇｈ／Ｐｌｏｗは、読出ユニット１００により記録媒体１のＡＤＩＰから読み出され、設定手段１１に供給される。パラメータＰｈｉｇｈ／Ｐｌｏｗは、記録媒体の製造業者により予め特定され、記録媒体の製造時において、その記録媒体のＡＤＩＰ内に予め記録される。
【図面の簡単な説明】
【００２４】
【図１】本発明に従う記録担体を示した図
【図２】本発明に従う方法のフローチャート
【図３】本発明に従う記録装置を示した図
【図１】
2006528399.tif 000003
【図２】
2006528399.tif 000004
【図３】
2006528399.tif 000005
【国際調査報告】
2006528399.tif 000006
2006528399.tif 000007
2006528399.tif 000008